(57)【要約】【課題】保持部の外形に高い寸法精度を要求せずに、光導波路部の光軸と光素子の光軸との位置を合わせる。【解決手段】本発明に係る光コネクタは、光を伝播する光導波路部と、光導波路部を端面の内側で保持し、光導波路部の導波路端面と端面とで凹凸形状を形成する保持部とを有する光導波路保持部材と、光を入射または出射する光素子と、光導波路部と光素子との間に位置し、光素子の光軸に対する位置が予め規定されている領域を含む、光を透過する光透過部とを有する光デバイスとを備え、保持部の端面は、光透過部の一部と接触することにより、光導波路部の光軸と光素子の光軸との位置を合わせる。【選択図】図１
2008281604.tif 000002
【特許請求の範囲】
【請求項１】
光を伝播する光導波路部と、
前記光導波路部を端面の内側で保持し、前記光導波路部の導波路端面と前記端面とで凹凸形状を形成する保持部とを備える光導波路保持部材。
【請求項２】
光を伝播する光導波路部と、
前記光導波路部を端面の内側で保持し、前記光導波路部の導波路端面と前記端面とで凹凸形状を形成する保持部を有する光導波路保持部材と、
前記光を入射または出射する光素子と、前記光導波路部と前記光素子との間に位置し、前記光素子の光軸に対する位置が予め規定されている領域を含む、前記光を透過する光透過部とを有する光デバイスとを備え、
前記保持部の前記端面は、前記光透過部の一部と接触することにより、前記光導波路部の光軸と前記光素子の光軸との位置を合わせる光コネクタ。
【請求項３】
前記導波路端面は、前記保持部の前記端面よりも前記光透過部から離れて位置し、
前記保持部の前記端面が、前記光透過部の一部と接触することにより、前記光導波路部の光軸と前記光素子の光軸との位置を合わせる請求項２に記載の光コネクタ。
【請求項４】
前記光透過部は、前記光素子から前記光導波路部に向かう凸形状を含み、
前記保持部の前記端面が、前記凸形状の一部と接触することにより、前記光導波路部の光軸と前記光素子の光軸との位置を合わせる請求項３に記載の光コネクタ。
【請求項５】
前記光透過部は、レンズを含み、
前記保持部の前記端面が、前記レンズの一部と接触することにより、前記光導波路部の光軸と前記光素子の光軸との位置を合わせる請求項４に記載の光コネクタ。
【請求項６】
前記レンズの前記導波路端面に対向する断面が、前記光導波路部の断面よりも大きい請求項５に記載の光コネクタ。
【請求項７】
前記保持部の前記端面は、前記光導波路部を保持する内側から外側に向かう傾斜面を有し、
前記傾斜面が、前記光透過部の一部と接触することにより、前記光導波路部の光軸と前記光素子の光軸との位置を合わせる請求項２に記載の光コネクタ。
【請求項８】
前記保持部の前記端面は、前記導波路端面よりも前記光透過部から離れて位置し、
前記光透過部は、前記光素子と前記光導波路部との間に前記光導波路部が適合すると共に前記導波路端面とは接触しない凹部を含み、
前記光導波路部の前記凹部への挿入に伴って、前記端面が前記凹部を除く前記光透過部の一部と接触することにより、前記光導波路部の光軸と前記光素子の光軸との位置を合わせる請求項２に記載の光コネクタ。
【請求項９】
前記光デバイスは、
前記保持部を支え、前記保持部を前記光素子の方向に押さえつける突起部を含む支持部
を更に有し、
前記光導波路保持部材の前記保持部は、前記突起部が適合する突起受け部を有し、前記突起部が前記突起受け部を前記光素子の方向に押さえつけて、前記光導波路部の光軸と前記光素子の光軸との位置を合わせる請求項２に記載の光コネクタ。
【発明の詳細な説明】
【技術分野】
【０００１】
本発明は、光導波路保持部材及び光コネクタに関する。
【背景技術】
【０００２】
光ファイバを伝送媒体とする光ファイバ通信においては、光半導体素子と光ファイバの光軸とを高精度にアライメントして結合損失を低下させることが要求される。
【０００３】
このような光半導体素子と光ファイバとを結合する光半導体装置として、光半導体素子に凹部を形成すると共に、光ファイバのコア領域に凸部を形成して、凹部と凸部とを嵌め合わせる光半導体装置が提案されている（例えば、特許文献１参照。）。
【０００４】
特許文献１に記載の光半導体装置においては、光半導体素子と光ファイバの光軸とを、凹部と凸部との嵌め合わせにより直接結合させるので、光半導体素子と光ファイバの光軸とを高精度に合わせることができる。
【特許文献１】特開平１０−３９１６２号公報
【発明の開示】
【発明が解決しようとする課題】
【０００５】
本発明の目的は、保持部の外径に高い寸法精度を要求せずとも、光デバイスと光導波路の光軸とを容易に合わせることができる光導波路保持部材及び光コネクタを提供することにある。
【課題を解決するための手段】
【０００６】
本発明の一態様は、上記目的を達成するため、以下の光導波路保持部材を提供する。
【０００７】
（１）光を伝播する光導波路部と、光導波路部を端面の内側で保持し、光導波路部の導波路端面と端面とで凹凸形状を形成する保持部とを備える光導波路保持部材。
【０００８】
また、本発明の他の態様は、上記目的を達成するため、以下の光コネクタを提供する。
【０００９】
（２）光を伝播する光導波路部と、光導波路部を端面の内側で保持し、光導波路部の導波路端面と端面とで凹凸形状を形成する保持部を有する光導波路保持部材と、光を入射または出射する光素子と、光導波路部と光素子との間に位置し、光素子の光軸に対する位置が予め規定されている領域を含む、光を透過する光透過部とを有する光デバイスとを備え、保持部の端面は、光透過部の一部と接触することにより、光導波路部の光軸と光素子の光軸との位置を合わせる光コネクタ。
【００１０】
（３）導波路端面は、保持部の端面よりも光透過部から離れて位置し、保持部の端面が、光透過部の一部と接触することにより、光導波路部の光軸と光素子の光軸との位置を合わせる前記（２）に記載の光コネクタ。
【００１１】
（４）光透過部は、光素子から光導波路部に向かう凸形状を含み、保持部の端面が、凸形状の一部と接触することにより、光導波路部の光軸と光素子の光軸との位置を合わせる前記（３）に記載の光コネクタ。
【００１２】
（５）光透過部は、レンズを含み、保持部の端面が、レンズの一部と接触することにより、光導波路部の光軸と光素子の光軸との位置を合わせる前記（４）に記載の光コネクタ。
【００１３】
（６）レンズの導波路端面に対向する断面が、光導波路部の断面よりも大きい前記（５）に記載の光コネクタ。
【００１４】
（７）保持部の端面は、光導波路部を保持する内側から外側に向かう傾斜面を有し、傾斜面が、光透過部の一部と接触することにより、光導波路部の光軸と光素子の光軸との位置を合わせる前記（２）に記載の光コネクタ。
【００１５】
（８）保持部の端面は、導波路端面よりも光透過部から離れて位置し、光透過部は、光素子と光導波路部との間に光導波路部が適合すると共に導波路端面とは接触しない凹部を含み、光導波路部の凹部への挿入に伴って、端面が凹部を除く光透過部の一部と接触することにより、光導波路部の光軸と光素子の光軸との位置を合わせる前記（２）に記載の光コネクタ。
【００１６】
（９）光デバイスは、保持部を支え、保持部を光素子の方向に押さえつける突起部を含む支持部を更に有し、光導波路保持部材の保持部は、突起部が適合する突起受け部を有し、突起部が突起受け部を光素子の方向に押さえつけて、光導波路部の光軸と光素子の光軸との位置を合わせる前記（２）に記載の光コネクタ。
【発明の効果】
【００１７】
請求項１に記載の光導波路保持部材によれば、保持部の外径に高い寸法精度を要求することを要さない。
【００１８】
請求項２に記載の光コネクタによれば、高い寸法精度で保持部の外径を形成しなくても、光導波路部の光軸と光素子の光軸との位置を容易に合わせることができる。
【００１９】
請求項３に記載の光コネクタによれば、導波路端面と保持部の端面とを平坦面として一致させることを要さないので、製造コストを低下させることができる。
【００２０】
請求項４に記載の光コネクタによれば、高い寸法精度で保持部の外径を形成することを要さずに、光導波路部の光軸と光素子の光軸との位置を合わせることができると共に、製造コストを低下させることができる。
【００２１】
請求項５に記載の光コネクタによれば、高い寸法精度で保持部の外径を形成しなくても、光導波路部の光軸とレンズの光軸とを容易に合わせることができる。
【００２２】
請求項６に記載の光コネクタによれば、レンズの大きさ及び形状を考慮せずとも、光導波路部の光軸と光素子の光軸との位置合わせをすることができる。
【００２３】
請求項７に記載の光コネクタによれば、光透過部に傷が付くことを防止できる。
【００２４】
請求項８に記載の光コネクタによれば、高い寸法精度で保持部の外径を形成しなくても、光導波路部の光軸と光素子の光軸との位置を合わせることができる。
【００２５】
請求項９に記載の光コネクタによれば、光導波路部の光軸と光素子の光軸との位置合わせが容易にできると共に、位置合わせがなされた状態を保持できる。
【発明を実施するための最良の形態】
【００２６】
［第１の実施の形態］
図１は、本発明の第１の実施の形態に係るファイバ保持部材及び光デバイスの斜視図を示す。また、図２（ａ）は、第１の実施の形態に係る光デバイスの正面図を示す。更に、図２（ｂ）は、第１の実施の形態に係る光デバイスのＡ−Ａ部における側面断面図を示す。
【００２７】
（ファイバ保持部材の構成）
光導波路保持部材としてのファイバ保持部材１０は、導波路端面としてのファイバ端面１０２を有する光導波路部としてのファイバ１００と、フェルール端面１１２及び受け部１１４を有する保持部としてのフェルール１１０と、プラグハウジング１２０とを備える。
【００２８】
（ファイバ）
ファイバ１００は、プラグハウジング１２０の内部を通過して、フェルール１１０の内側で保持される。ファイバ１００は、フェルール端面１１２の内側で保持され、ファイバ１００のファイバ端面１０２とフェルール端面１１２とで凹凸形状を形成する。ファイバ１００は、予め定められた直径を有すると共に、波長８５０ｎｍを中心波長とする光を伝播する石英系材料から主として構成される。また、ファイバ１００は、予め定められた直径を有するプラスチック光ファイバ（Ｐｌａｓｔｉｃ  Ｏｐｔｉｃａｌ  Ｆｉｂｅｒ：ＰＯＦ）であってもよい。
【００２９】
第１の実施の形態においては、ファイバ端面１０２は、フェルール１１０のフェルール端面１１２よりも光透過部２１０から離れた位置に配置されることにより、凹形状を形成する。フェルール端面１１２とファイバ端面１０２とは平坦面を形成せず、ファイバ端面１０２がフェルール端面１１２に比べてプラグハウジング１２０の方向に窪むことにより凹形状を形成する。そして、フェルール端面１１２は、光透過部２１０の一部と接触することにより、ファイバ１００の光軸と光素子２３０の光軸との位置を合わせる。
【００３０】
（フェルール）
フェルール１１０は、端面としてのフェルール端面１１２と、フェルール端面１１２とプラグハウジング１２０との間の予め定められた領域に窪み形状を有する突起受け部としての受け部１１４とを有する。フェルール１１０が、フェルール端面１１２の内側でファイバ１００を保持する場合、ファイバ端面１０２とフェルール端面１１２とは凹凸形状を形成する。
【００３１】
フェルール１１０は、当該フェルール１１０の一部がプラグハウジング１２０に収容されることによりプラグハウジング１２０に固定される。また、フェルール１１０は、プラグハウジング１２０の表面に融着して接合させてもよい。なお、フェルール１１０は、ジルコニアセラミック等の無機材料、ステンレス等の金属材料、またはプラスチック等の合成樹脂材料を含む材料から主として形成されてよい。
【００３２】
（プラグハウジング）
プラグハウジング１２０は、筐体内にファイバ１００を通すと共に、当該ファイバ１００をフェルール１１０の内側に導入する。そして、プラグハウジング１２０は、フェルール１１０の一部を保持してフェルール１１０を固定する。なお、プラグハウジング１２０の筐体は、少なくともファイバ１００の外径よりも大きいサイズを有する。
【００３３】
また、図１において、プラグハウジング１２０の外観形状は略直方体であるが、プラグハウジング１２０の外観形状は略直方体に限られない。例えば、プラグハウジング１２０の形状は略正方体であってもよく、または、ファイバ１００を伝播する光の伝播方向に沿って伸びた略直方体であってもよい。更には、プラグハウジング１２０の外観形状は、ファイバ１００を伝播する光の伝播方向に沿った略円筒状であってもよい。
【００３４】
（光デバイスの構造）
光デバイス２０は、図２（ｂ）に示すように、突起部２０２を有する支持部としてのアダプタ２００と、レンズ２１２を有する光透過部２１０と、少なくとも一つの前列端子２２０と、少なくとも一つの後列端子２２２と、光素子２３０と、駆動ＩＣ２４０とを備える。
【００３５】
図２（ａ）に示すように、光素子２３０は、セラミック等の無機材料またはアルミニウム等の金属材料から主として構成されるリードフレーム２１１上の予め定められた位置にダイボンディングされることにより、リードフレーム２１１上に配置される。また、駆動ＩＣ２４０は、リードフレーム２１１上の予め定められた位置に配置される。
【００３６】
アダプタ２００は、フェルール１１０と同様の材料を含む材料から主として構成され、光を出射または入射する光透過部２１０の面の予め定められた位置に設けられる。アダプタ２００は、例えば、光透過部２１０の表面に接着または融着させて固定される。そして、突起部２０２は、アダプタ２００の端面から光透過部２１０側に向かって予め定められた距離だけ離れた位置に設けられる。
【００３７】
また、アダプタ２００は、光透過部２１０の面に対して予め定められた位置に配置される限り、光透過部２１０の表面から離間させて配置してもよい。例えば、アダプタ２００は、光透過部２１０の面に対して予め定められた位置となるべく、光透過部２１０と離間させて回路基板４０に固定して配置してもよい。
【００３８】
光透過部２１０は、ファイバ１００を伝播する波長の光を透過する光透過性樹脂から主として構成される。そして、第１の実施形態においては、光素子２３０の光軸に対する位置が予め規定されている光透過部２１０が含む領域は、レンズ２１２である。レンズ２１２は、光透過部２１０の一部に設けられる。レンズ２１２は、光素子２３０の光軸と当該レンズ２１２の光軸とが一致するべく、光透過部２１０の予め定められた領域に設けられる。また、レンズ２１２は、ファイバ端面１０２に対向するレンズ２１２の断面が、ファイバ１００の断面よりも大きくなるべく形成される。なお、光透過部２１０は、ガラスから主として構成されてもよい。
【００３９】
複数の前列端子２２０は、光素子２３０の受光面または発光面が向く方向を光デバイス２０の前面とした場合に前面側に配列される。一方、複数の後列端子２２２は、前面に対して前列端末２２０よりも後側に配列される。
【００４０】
具体的には、前列端子２２０は、図２（ａ）に示すべく、前列端子２２０ａ及び前列端子２２０ｂを有する。また、後列端子２２２は、図２（ａ）に示すべく、後列端子２２２ａと、後列端子２２２ｂと、後列端子２２２ｃと、後列端子２２２ｄとを有する。一方、前列端子２２０ａ及び前列端子２２０ｂはリードフレームを折り曲げ加工して形成される。そして、前列端子２２０ａ及び前列端子２２０ｂはそれぞれ、グランドとして用いられる。
【００４１】
光デバイス２０が備える光素子２３０は、光を入射または出射する。具体的には、光素子２３０は、波長８５０ｎｍの光を発光する垂直キャビティ面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）等の発光素子である。また、光素子２３０は、アバランシェフォトダイオード（Ａｖａｌａｎｃｈｅ  Ｐｈｏｔｏｄｉｏｄｅ：ＡＰＤ）等の受光素子であってもよい。
【００４２】
駆動ＩＣ２４０は、光素子２３０が発光素子である場合、ワイヤ２５０ａを介して光素子２３０に供給する電力量を制御して、光素子２３０の発光動作を制御する。また、駆動ＩＣ２４０は、光素子２３０が受光素子である場合、光素子２３０が受光した光量に応じて発生した光起電力を光電流として取り出すべく、光素子２３０の受光動作を制御する。
【００４３】
また、後列端子２２２ａは、駆動ＩＣ２４０及び光素子２３０へ電力を供給する。一方、後列端子２２２ｂおよび後列端子２２２ｃは、作動信号を駆動ＩＣ２４０に供給する。そして、後列端子２２２ｄは、制御信号を駆動ＩＣ２４０に供給する。また、後列端子２２２ａと、後列端子２２２ｂと、後列端子２２２ｃと、後列端子２２２ｄとはそれぞれ、複数のワイヤ（例えば、ワイヤ２５０ｃ等）によって駆動ＩＣ２４０に予め設けられた複数の端子のそれぞれに電気的に接続される。
【００４４】
更に、駆動ＩＣ２４０と光素子２３０とは、ワイヤ２５０ａにより電気的に接続され、駆動ＩＣ２４０とリードフレーム２１１とは、ワイヤ２５０ｂにより電気的に接続される。光デバイス２０は、複数の前列端子２２０及び複数の後列端子２２２のそれぞれが回路基板４０に予め設けられた複数の開口孔のそれぞれに差し込まれ固定される。そして、複数の後列端子２２２のそれぞれが、配線パターン４００に接続される。これにより、光デバイス２０に、配線パターン４００を介して複数の後列端子２２２のそれぞれから電力と、作動信号と、制御信号とを供給できる。
【００４５】
図３は、第１の実施の形態に係るファイバ保持部材と光デバイスとの接続を示す。図３（ａ）にファイバ保持部材及び光デバイスの接続前の断面図を示すと共に、図３（ｂ）に接続後の断面図を示す。
【００４６】
まず、図３（ａ）に示すべく、ファイバ保持部材１０と光デバイス２０とを予め定められた位置に配置する。そして、図３（ｂ）に示すべく、ファイバ保持部材１０のフェルール１１０を光デバイス２０のアダプタ２００に挿入すると、フェルール端面１１２の一部がレンズ２１２の一部と接触する。これにより、ファイバ１００の光軸と光素子２３０の光軸との位置が合わされる。そして、アダプタ２００の突起部２０２は、受け部１１４を光素子２３０の方向に押さえつける。なお、フェルール端面１１２の一部は、フェルール端面１１２のファイバ１００側のエッジの少なくとも一部であってよい。
【００４７】
ファイバ端面１０２とレンズ２１２との間に存在する空間による結合損失が問題とならない短距離の通信においては、ファイバ端面１０２とレンズ２１２とは非接触であってもよい。したがって、ファイバ端面１０２は損傷しない。更に、突起部２０２によって受け部１１４が光素子２３０の方向に押さえつけられて、ファイバ１００の光軸と光素子２３０の光軸との位置を合わせる。これにより、アダプタ２０とファイバ保持部材１０とは光軸があった状態で固定される。
【００４８】
図４は、第１の実施の形態の他の変形例に係るファイバ保持部材と光デバイスとの接続を示す。図４（ａ）にファイバ保持部材及び光デバイスの接続前の断面図を示すと共に、図４（ｂ）に接続後の断面図を示す。
【００４９】
本変形例は、図３に示した第１の実施の形態におけるレンズ２１２の形状を凸形状としたものであり、その他の構成は第１の実施の形態と同様である。
【００５０】
本変形例においては、光透過部２１０が、光素子２３０からファイバ１００の方向に向かう凸形状である凸部２１４を含む。凸部２１４は、例えば、ファイバ１００の方向に向かう湾曲面を有すると共に、光透過部２１０側に段差を有していてよい。そして、図４（ｂ）に示すべく、フェルール端面１１２が、凸部２１４の一部である湾曲面と接触することによりファイバ１００の光軸と光素子２３０の光軸との位置を合わせる。
【００５１】
［第２の実施の形態］
図５は、第２の実施の形態に係るファイバ保持部材と光デバイスとの接続を示す。図５（ａ）にファイバ保持部材及び光デバイスの接続前の断面図を示すと共に、図５（ｂ）に接続後の断面図を示す。
【００５２】
本実施形態は、図３に示した第１の実施の形態に係るファイバ保持部材１０が、フェルール端面１１２に傾斜部１０４を備えたものであり、その他の構成は第１の実施の形態と同様である。
【００５３】
本実施形態に係るファイバ保持部材１０のフェルール端面は、ファイバ１００を保持する内側から外側に向かう傾斜面としての傾斜部１０４を有する。そして、図５（ｂ）に示すべく、傾斜部１０４の斜面の一部が、光透過部２１０の一部であるレンズ２１２と接触することにより、ファイバ１００の光軸と光素子２３０の光軸との位置を合わせる。
【００５４】
［第３の実施の形態］
図６は、本発明の第３の実施の形態に係るファイバ保持部材及び光デバイスの斜視図を示す。また、図７は、第３の実施の形態に係るファイバ保持部材と光デバイスとの接続を示す。図７（ａ）にファイバ保持部材及び光デバイスの接続前の断面図を示すと共に、図７（ｂ）に接続後の断面図を示す。
【００５５】
本実施形態は、ファイバ端面１０２とフェルール端面１１２とが形成する凹凸形状が第１の実施の形態とは異なると共に、図７に示すべく光透過部２１０の一部の形状が異なるものであり、その他の構成は第１の実施の形態と同様である。
【００５６】
図６に示すように、ファイバ端面１０２とフェルール端面１１２とが形成する凹凸形状は、ファイバ端面１０２がフェルール端面１１２よりも光デバイス２０側に突き出ている形状である。すなわち、図７（ａ）に示すように、ファイバ端面１０２よりも光透過部２１０から離れてフェルール端面１１２が位置することにより、ファイバ端面１０２とフェルール端面１１２とは凸形状を形成する。
【００５７】
そして、光透過部２１０は、光素子２３０とファイバ１００との間にファイバ１００が適合すると共にファイバ端面１０２とは接触しない凹部２１６を含む。光透過部２１０のファイバ１００側の表面に対する凹部２１６の光素子２３０に向かう方向における深さは、ファイバ端面１０２が光透過部２１０に接触しない範囲で調整する。なお、凹部２１６の径は、ファイバ１００の外径と適合すべく予め形成される。
【００５８】
続いて、ファイバ保持部材１０と光デバイス２０との接続は、まず、図７（ａ）に示すべく、ファイバ保持部材１０と光デバイス２０とを予め定められた位置に配置する。そして、図７（ｂ）に示すべく、ファイバ保持部材１０のフェルール１１０を光デバイス２０のアダプタ２００に挿入すると、フェルール端面１１２が凹部２１６を除く光透過部２１０の一部と接触する。そして、フェルール端面１１２が光透過部２１０の一部と接触することにより、ファイバ１００の光軸と光素子２３０の光軸との位置を合わせる。係る場合に、ファイバ端面１０２と凹部２１６の底面との間に空間２１８が生じる。空間２１８の存在により、ファイバ端面１０２は光透過部２１０と接触しない。
【００５９】
［第４の実施の形態］
図８は、本発明の第４の実施の形態に係るファイバ保持部材及び光デバイスの斜視図を示す。
【００６０】
本実施形態は、ファイバ端面１０２とフェルール端面１１２とが形成する凹凸形状が第３の実施の形態とは異なるものであり、その他の構成は第３の実施の形態と同様である。
【００６１】
ファイバ１００は、コアの領域を含む部分が矩形状を有していてもよい。本実施形態においては、ファイバ１００は、コアを含む矩形状の領域をフェルール端面１１２から光デバイス２０側に突き出すことによりファイバ凸部１０６を形成する。ファイバ端面１０２からフェルール端面１１２までの距離は、ファイバ凸部１０６を光透過部２１０が含む凹部２１６に挿入した場合に、ファイバ端面１０２と光透過部２１０とが接触しない距離に調整される。
【００６２】
［第５の実施の形態］
図９は、第５の実施の形態に係るファイバ保持部材と光デバイスとの接続を示す。図９（ａ）にファイバ保持部材及び光デバイスの接続前の断面図を示すと共に、図９（ｂ）に接続後の断面図を示す。
【００６３】
本実施形態は、光デバイス２０の光透過部２１０を含む部分が砲弾形状を有するものであり、その他の構成は第１の実施の形態と同様である。
【００６４】
光素子２３０は、端子ａ２２４と端子ｂ２２５とを有するリードフレームに搭載される。光素子２３０は、ワイヤ２５０ｄを介して、端子ｂ２２５と電気的に接続される。そして、光素子２３０を含むリードフレームの一部分が、光透過性樹脂またはガラスによって封止され、砲弾型のレンズ部２１９が形成される。なお、光素子２３０への電力は、端子ａ２２４または端子ｂ２２５を介して供給される。
【００６５】
ここで、ファイバ保持部材１０がアダプタ２００に挿入されると、レンズ部２１９の一部とフェルール端面１１２とが接触することにより、ファイバ１００の光軸と光素子２３０の光軸との位置を合わせる。
【００６６】
なお、ファイバ１００は、コアの領域を含む部分がシート状であってもよい。
【００６７】
［第６の実施の形態］
図１０は、本発明の第６の実施の形態に係るファイバ保持部材及び光デバイスの斜視図を示す。
【００６８】
本実施形態は、ファイバ端面１０２とフェルール端面１１２とが形成する凹凸形状が第１の実施の形態及び第３の実施の形態とは異なるものであり、その他の構成は第１の実施の形態または第３の実施の形態と同様である。
【００６９】
ファイバ１００は、コアの領域を含む部分が矩形状を有していてもよい。例えば、ファイバ１００は、コアを含む矩形状の領域をフェルール端面１１２からプラグハウジング１２０側に窪ませることによりファイバ凹部１０８を形成する。なお、係る場合において、ファイバ端面１０２とフェルール端面１１２とは、平坦面を形成することを要さない。すなわち、ファイバ端面１０２とフェルール端面１１２とで凹凸形状を形成する。
【００７０】
具体的には、フェルール端面１１２よりも光透過部２１０からファイバ端面１０２が離れた位置に存在するか、または、ファイバ端面１０２よりも光透過部２１０から離れた位置にフェルール端面１１２が存在することにより、凹凸形状が形成される。そして、ファイバ保持部材１０が光デバイス２０のアダプタ２００に挿入されると、フェルール端面１１２が光透過部２１０の一部と接触することにより、ファイバ１００の光軸と光素子２３０の光軸との位置が合わされる。
【００７１】
以上、実施の形態を通じて本発明を説明したが、上記に記載した実施の形態は特許請求の範囲に係る発明を限定するものではない。また、実施の形態の中で説明する特徴の組合せの全てが発明の課題を解決するための手段に必須であるとは限らない点に留意すべきである。
【図面の簡単な説明】
【００７２】
【図１】第１の実施の形態に係るファイバ保持部材及び光デバイスの斜視図である。
【図２】（ａ）は第１の実施の形態に係る光デバイスの正面図であり、（ｂ）は光デバイスのＡ−Ａ部における側面断面図である。
【図３】（ａ）は第１の実施の形態に係るファイバ保持部材と光デバイスとの接続前の断面図であり、（ｂ）は接続後の断面図である。
【図４】（ａ）は第１の実施の形態の他の変形例に係るファイバ保持部材と光デバイスとの接続前の断面図であり、（ｂ）は接続後の断面図である。
【図５】（ａ）は第２の実施の形態に係るファイバ保持部材と光デバイスとの接続前の断面図であり、（ｂ）は接続後の断面図である。
【図６】第３の実施の形態に係るファイバ保持部材及び光デバイスの斜視図である。
【図７】（ａ）は第３の実施の形態に係るファイバ保持部材と光デバイスとの接続前の断面図であり、（ｂ）は接続後の断面図である。
【図８】第４の実施の形態に係るファイバ保持部材及び光デバイスの斜視図である。
【図９】（ａ）は第５の実施の形態に係るファイバ保持部材と光デバイスとの接続前の断面図であり、（ｂ）は接続後の断面図である。
【図１０】第６の実施の形態に係るファイバ保持部材及び光デバイスの斜視図である。
【符号の説明】
【００７３】
１０  ファイバ保持部材
２０  光デバイス
３０  光コネクタ
４０  回路基板
１００  ファイバ
１０２  ファイバ端面
１０４  傾斜面
１０６  ファイバ凸部
１０８  ファイバ凹部
１１０  フェルール
１１２  フェルール端面
１１４  受け部
１２０  プラグハウジング
２００  アダプタ
２０２  突起部
２１０  光透過部
２１１  リードフレーム
２１２  レンズ
２１４  凸部
２１６  凹部
２１８  空間
２１９  レンズ部
２２０  前列端子
２２０ａ、２２０ｂ  前列端子
２２２  後列端子
２２２ａ、２２２ｂ、２２２ｃ、２２２ｄ  後列端子
２２４  端子ａ
２２５  端子ｂ
２３０  光素子
２４０  駆動ＩＣ
２５０ａ、２５０ｂ、２５０ｃ、２５０ｄ  ワイヤ
４００  配線パターン
【図１】
2008281604.tif 000003
【図２】
2008281604.tif 000004
【図３】
2008281604.tif 000005
【図４】
2008281604.tif 000006
【図５】
2008281604.tif 000007
【図６】
2008281604.tif 000008
【図７】
2008281604.tif 000009
【図８】
2008281604.tif 000010
【図９】
2008281604.tif 000011
【図１０】
2008281604.tif 000012